(57)【特許請求の範囲】
【請求項１】
固定部材本体と、前記固定部材本体に対して上下方向にスライド可能に設けられた移動部材とを備え、前記移動部材の高さを調整する高さ調整機構であって、
前記固定部材本体に設けられ、スライド方向に形成されたレール部と、
前記移動部材に設けられ、前記レール部に沿ってスライドする摺動部と、
前記移動部材の前記固定部材本体と反対側に上下方向に形成された複数の係合部と、
前記移動部材と対向して設けられ、前記係合部に係合される被係合部が形成された押し当て部材と、
前記固定部材本体の前記移動部材と反対側に設けられ、前記押し当て部材と連結される回転軸を有する調整ノブと、を備え、
前記調整ノブの回転操作により前記回転軸を固定方向に回転したとき、前記調整ノブと前記押し当て部材との距離が縮まり、前記係合部に前記被係合部が係合されると共に、前記調整ノブと前記押し当て部材との間で前記固定部材本体と前記移動部材とが挟持され、また、前記回転軸を開放方向に回転したとき、前記調整ノブと前記押し当て部材との距離が広がり、前記係合部と前記被係合部との係合が外れ、前記固定部材本体に対して前記移動部材をスライド可能とするものであり、
前記係合部が凹部であり、前記被係合部が凸部であり、
さらに前記凸部が、弾性凸部と剛性凸部とを備え、
前記回転軸を開放方向に回転すると、前記調整ノブと前記押し当て部材との距離が広がり、前記凹部と前記剛性凸部との係合が完全に外れ、前記弾性凸部が前記凹部と係合していることを特徴とする高さ調整機構。
【請求項２】
前記調整ノブは、前記回転軸が前記押し当て部材の開孔に挿通され、前記回転軸の先端部に前記押し当て部材の前面と当接する抜止め部材を備え、
前記押し当て部材の前面に、前記回転軸を固定方向に回転したとき前記抜止め部材が移動して前記押し当て部材と前記調整ノブとの距離が縮まり、前記移動部材と前記固定部材本体とを挟持するロック部と、前記回転軸を開放方向に回転したとき前記抜止め部材が移動して前記押し当て部材と前記調整ノブとの距離が広がり、前記移動部材を前記固定部材本体に対してスライド可能とするロック解除部と、を有することを特徴とする請求項１に記載の高さ調整機構。
【請求項３】
前記押し当て部材の前記開孔の周囲に形成され、前記押し当て部材の肉厚を増減して設けられた厚肉部が前記ロック部で、薄肉部が前記ロック解除部であることを特徴とする請求項２に記載の高さ調整機構。
【請求項４】
前記厚肉部と前記薄肉部が斜面でつながっていることを特徴とする請求項３に記載の高さ調整機構。
【請求項５】
前記厚肉部と前記薄肉部との間にストッパーが突設されていることを特徴とする請求項３又は請求項４に記載の高さ調整機構。
【請求項６】
前記凹部が略Ｖ字面とされ、前記Ｖ字面の上方側の傾斜面と略Ｖ字面の谷部を結んだ面に対して直交する方向の直線との角度が、前記Ｖ字面の下方側の傾斜面と略Ｖ字面の谷部を結んだ面に対して直交する方向の直線との角度より小さく形成されていることを特徴とする請求項１から請求項５までのいずれか１項に記載の高さ調整機構。
【請求項７】
請求項１から請求項６までのいずれか１項に記載の高さ調整機構を備え、
前記固定部材本体が、二輪車に固定支持され、子供が着座可能な椅子本体であり、
前記移動部材が、頭部を保護するヘッドガード部、又は、肩部を保護するショルダーガード部であることを特徴とする子供用椅子。
【発明の詳細な説明】
【技術分野】
【０００１】
本発明は、二輪車などに用いられ、椅子本体などの固定部材に対して上下方向にスライド可能に設けられた移動部材の高さを調整する高さ調整機構、この高さ調整機構を備えた子供用椅子に関するものである。
【背景技術】
【０００２】
従来から、サドルの前方又は後方に子供が着座可能な子供用椅子を備えた二輪車が提案されている。
【０００３】
この子供用椅子では、背凭れ部の上部に、子供の頭部を保護するヘッドレストが設けられており、このヘッドレストは、子供の成長や身長の異なる子供の体格に合わせて高さが調整可能となっている。この高さ調整装置としては、上下方向のガイド部材に対してヘッドレストを左右２ヶ所でクランプ部材を介してネジとナットで締結するようにしたものが提案されている（例えば、特許文献１を参照）。
【０００４】
しかし、上記従来の装置では、ヘッドレストの高さ調整時に、左右２ヶ所のネジとナットを別々に回動操作して締結を解除し、ヘッドレストの高さを所望の高さに片手で保持して他方の手で一方のネジを締め、次に、他方のネジを締めることになるため、調整操作に手間がかかる。さらに、ヘッドレストがガイド部の摺動スキマ分だけガタツキを生じやすく、ヘッドレストが斜めに傾いた状態で係止される場合が多くなる等の問題がある。
【０００５】
また、ヘッドレストのステム部を背凭れのガイド溝に対して１個の調整ハンドルで締め付けて所望の高さに固定させる高さ調整装置も椅子等に採用されているが、この場合では、調整ハンドルがネジ軸で構成され、このネジ軸をガイド溝に設けたネジ穴内で移動させてネジ軸先端をヘッドレストのステム部に押し付けて摩擦力で止める構造であるため、ヘッドレストを１点で止めているだけとなり、ヘッドレストの係止が不安定となり、ガタツキが生じ易い等の問題がある。
【特許文献１】実用新案登録第３０５８８４２号公報
【発明の開示】
【発明が解決しようとする課題】
【０００６】
本発明は、上記問題点に鑑みてなされたものであり、ヘッドレストなどの移動部材の高さ調整をワンタッチで安定状態で固定することができる高さ調整機構、及び子供用椅子を提供することを目的とする。
【課題を解決するための手段】
【０００７】
上記課題を解決するために、請求項１に記載の発明は、固定部材本体と、前記固定部材本体に対して上下方向にスライド可能に設けられた移動部材とを備え、前記移動部材の高さを調整する高さ調整機構であって、前記固定部材本体に設けられ、スライド方向に形成されたレール部と、前記移動部材に設けられ、前記レール部に沿ってスライドする摺動部と、前記移動部材の前記固定部材本体と反対側に上下方向に形成された複数の係合部と、前記移動部材と対向して設けられ、前記係合部に係合される被係合部が形成された押し当て部材と、前記固定部材本体の前記移動部材と反対側に設けられ、前記押し当て部材と連結される回転軸を有する調整ノブと、を備え、前記調整ノブの回転操作により前記回転軸を固定方向に回転したとき、前記調整ノブと前記押し当て部材との距離が縮まり、前記係合部に前記被係合部が係合されると共に、前記調整ノブと前記押し当て部材との間で前記固定部材本体と前記移動部材とが挟持され、また、前記回転軸を開放方向に回転したとき、前記調整ノブと前記押し当て部材との距離が広がり、前記係合部と前記被係合部との係合が外れ、前記固定部材本体に対して前記移動部材をスライド可能とするものであり、前記係合部が凹部であり、前記被係合部が凸部であり、さらに前記凸部が、弾性凸部と剛性凸部とを備え、前記回転軸を開放方向に回転すると、前記調整ノブと前記押し当て部材との距離が広がり、前記凹部と前記剛性凸部との係合が完全に外れ、前記弾性凸部が前記凹部と係合していることを特徴としている。
【０００８】
請求項１に記載の発明では、移動部材に設けられた摺動部が固定部材本体のレール部に沿ってスライドすることにより、移動部材が固定部材本体に対して上下方向にスライドする。移動部材には、固定部材本体と反対側に上下方向に複数の係合部が形成されており、移動部材と対向して設けられた押し当て部材の被係合部が係合可能となっている。固定部材本体の移動部材と反対側には、調整ノブが設けられており、調整ノブは押し当て部材と連結される回転軸を備えている。そして、調整ノブの回転操作によって回転軸を固定方向に回転したときに、調整ノブと押し当て部材との距離が縮まり、被係合部が係合部に係合されると共に、調整ノブと押し当て部材との間で固定部材本体と移動部材とが挟持されることで、移動部材が固定される。このため、任意の係合部に被係合部を係合することで、移動部材が任意の位置で固定部材本体に固定され、固定部材本体に対する移動部材の高さを調整することが可能となる。また、調整ノブの回転操作によって回転軸を開放方向に回転したとき、調整ノブと押し当て部材との距離が広がり、係合部と被係合部との係合が外れ、固定部材本体に対して移動部材がスライド可能となる。このため、簡単な操作により移動部材の高さを調整することができると共に、調整ノブと押し当て部材との間に移動部材と固定部材本体とを挟持することにより、移動部材を安定して固定することができ、移動部材のガタツキの発生や移動部材の係合が不安定になることが抑制される。
【００１０】
また、係合部が凹部であり、被係合部が凸部とされている。すなわち、移動部材の上下方向に複数の凹部が形成されており、調整ノブと押し当て部材との間に移動部材と固定部材本体が挟持され、押し当て部材の凸部が凹部に係合されることで、移動部材が固定される。このため、簡易な構成により、移動部材の高さを調整することが可能となる。
【００１２】
さらに、凸部が、弾性凸部と剛性凸部とを備えており、回転軸を開放方向に回転すると、調整ノブと押し当て部材との距離が広がり、凹部と剛性凸部との係合が完全に外れる。この状態では、弾性凸部が凹部と係合しており、移動部材を上下方向にスライドさせると、弾性凸部が弾性変形して凹部から外れる。回転軸を開放方向に回転しても弾性凸部が凹部と係合しているので、移動部材が自重でずり落ちることが抑制される。
【００１３】
請求項２に記載の発明は、請求項１に記載の高さ調整機構において、前記調整ノブは、前記回転軸が前記押し当て部材の開孔に挿通され、前記回転軸の先端部に前記押し当て部材の前面と当接する抜止め部材を備え、前記押し当て部材の前面に、前記回転軸を固定方向に回転したとき前記抜止め部材が移動して前記押し当て部材と前記調整ノブとの距離が縮まり、前記移動部材と前記固定部材本体とを挟持するロック部と、前記回転軸を開放方向に回転したとき前記抜止め部材が移動して前記押し当て部材と前記調整ノブとの距離が広がり、前記移動部材を前記固定部材本体に対してスライド可能とするロック解除部と、を有することを特徴としている。
【００１４】
請求項２に記載の発明では、調整ノブの回転軸が押し当て部材の開孔に挿通され、回転軸の先端部に設けられた抜止め部材が押し当て部材の前面と当接している。押し当て部材の前面には、回転軸を固定方向に回転したとき抜止め部材が移動するロック部が設けられており、抜止め部材がロック部に移動すると押し当て部材と調整ノブとの距離が縮まり、移動部材と固定部材本体とが挟持されて移動部材が固定される。また、押し当て部材の前面には、回転軸を開放方向に回転したとき抜止め部材が移動するロック解除部が設けられており、抜止め部材がロック解除部に移動すると押し当て部材と調整ノブとの距離が広がり、移動部材が固定部材本体に対してスライド可能となる。このため、調整ノブを回転して抜止め部材を移動させることによって、簡単な操作で移動部材の固定又はスライドが可能となり、操作性が良い。
【００１５】
請求項３に記載の発明は、請求項２に記載の高さ調整機構において、前記押し当て部材の前記開孔の周囲に形成され、前記押し当て部材の肉厚を増減して設けられた厚肉部が前記ロック部で、薄肉部が前記ロック解除部であることを特徴としている。
【００１６】
請求項３に記載の発明では、押し当て部材の開孔の周囲に肉厚を増減して形成された厚肉部がロック部で、薄肉部がロック解除部であるので、抜止め部材を厚肉部に移動することで、押し当て部材と調整ノブとの距離が縮まり、抜止め部材を薄肉部に移動することで、押し当て部材と調整ノブとの距離が広がる。このため、簡単な構成で押し当て部材と調整ノブとの距離を変えることができる。
【００１７】
請求項４に記載の発明は、請求項３に記載の高さ調整機構において、前記厚肉部と前記薄肉部が斜面でつながっていることを特徴としている。
【００１８】
請求項４に記載の発明では、厚肉部と薄肉部が斜面でつながっているので、抜止め部材の移動がスムーズになる。
【００１９】
請求項５に記載の発明は、請求項３又は請求項４に記載の高さ調整機構において、前記厚肉部と前記薄肉部との間にストッパーが突設されていることを特徴としている。
【００２０】
請求項５に記載の発明では、厚肉部と薄肉部との間にストッパーが突設されているので、調整ノブの回転範囲における両端が、ロック部とロック解除部に限定されるので、調整ノブを確実に操作することができる。
【００２１】
請求項６に記載の発明は、請求項１から請求項５までのいずれか１項に記載の高さ調整機構において、前記凹部が略Ｖ字面とされ、前記Ｖ字面の上方側の傾斜面と略Ｖ字面の谷部を結んだ面に対して直交する方向の直線との角度が、前記Ｖ字面の下方側の傾斜面と略Ｖ字面の谷部を結んだ面に対して直交する方向の直線との角度より小さく形成されていることを特徴としている。
【００２２】
請求項６に記載の発明では、Ｖ字面の上方側の傾斜面、すなわち移動部材を下降させる方向の傾斜面と略Ｖ字面の谷部を結んだ面に対して直交する方向の直線との角度が小さく形成されているので、移動部材を下降させるときは凹部に係合された凸部が抜けにくい。このため、移動部材が自重でずり落ちることが抑制される。また、Ｖ字面の下方側の傾斜面、すなわち移動部材を上昇させる方向の傾斜面と略Ｖ字面の谷部を結んだ面に対して直交する方向の直線との角度が大きく形成されているので、移動部材を上昇させるときは凹部に係合された凸部が抜けやすい。
【００２３】
請求項７に記載の発明に係る子供用椅子は、請求項１から請求項６までのいずれか１項に記載の高さ調整機構を備え、前記固定部材本体が、二輪車に固定支持され、子供が着座可能な椅子本体であり、前記移動部材が、頭部を保護するヘッドガード部、又は、肩部を保護するショルダーガード部であることを特徴としている。
【００２４】
請求項７に記載の発明では、移動部材が、頭部を保護するヘッドガード部、又は、肩部を保護するショルダーガード部であるので、子供の成長や身長に合わせて、椅子本体に対してヘッドガード部又はショルダーガード部の高さを調整することが可能である。これにより、子供の体格に合わせて肩部や頭部を保護することができ、走行時や転倒時の安全性を確保することができる。
【発明の効果】
【００２５】
本発明によれば、簡単な操作によって移動部材を固定部材本体に対して上下方向にスライドさせて移動部材の高さを調整できると共に、移動部材のガタツキを抑制し、移動部材を安定状態で固定部材本体に固定することができる。
【発明を実施するための最良の形態】
【００２６】
以下、本発明の実施の形態を図面に基づいて説明する。
【００２７】
図１には、本発明の一実施形態である高さ調整装置３０を備えた子供用椅子１０が示されている。この子供用椅子１０は、固定部材本体としての椅子本体１２を備えており、二輪車２のサドル４の後方に設けられた荷台６上に椅子本体１２が図示しない取り付け金具によって固定支持されている。
【００２８】
図２及び図３に示すように、椅子本体１２は、腰部及び尻部の後方部と両サイドを囲むように湾曲して形成されており、子供が着座可能となっている。椅子本体１２の前面側の上方部には、椅子本体１２と一部が重なり合うように移動部材としてのガード本体１８が配設されている。このガード本体１８は、肩部を保護するショルダーガード部１４と、このショルダーガード部１４の上方で頭部を保護するヘッドガード部１６とが一体に形成されている。また、椅子本体１２の前方には、子供の前方側をガードするように掛け渡されたハンドルバー２０が設けられ、ハンドルバー２０は一端部を支点として他端部が開閉可能となっている（図６参照）。また、椅子本体１２の下側には、足を載置可能な２つのステップ部２２が設けられている。
【００２９】
図４〜図６に示すように、子供用椅子１０には、ガード本体１８を上下方向にスライドさせて所定の位置で固定する高さ調整装置３０が設けられている。図４に示すように、高さ調整装置３０は、椅子本体１２の中央部に上下方向に形成された凹状のレール部１２Ａを備えており、ショルダーガード部１４の背面側には、レール部１２Ａに挿入される凸状の摺動部１４Ａが設けられている。そして、レール部１２Ａに沿って摺動部１４Ａが移動することで、ガード本体１８が椅子本体１２に対して上下方向にスライド可能となっている。
【００３０】
図２に示すように、高さ調整装置３０には、ガード本体１８の摺動部１４Ａの椅子本体１２と反対側に上下方向に複数形成された係合凹部３２と、この係合凹部３２と対向する位置（ガード本体１８の前方側）に配設された押し当て部材３４とが設けられている。また、椅子本体１２の背面側には、回転軸３６Ａを備えた調整ノブ３６が設けられている。回転軸３６Ａは椅子本体１２の開孔１２Ｄとガード本体１８の長孔１４Ｄと押し当て部材３４の開孔３４Ａに挿通されており、回転軸３６Ａの先端には、径方向に突出した２つの突起部３８Ａを有する抜止め部材３８がネジ止めされている（図９参照）。
【００３１】
図７に示すように、押し当て部材３４のガード本体１８側には、回転軸３６Ａが挿通される開孔３４Ａの両側に、剛性凸部３４Ｂが押し当て部材３４に対し剛的に設けられている。また、剛性凸部３４Ｂの両側には、Ｕ字状に形成された支持腕３３の先端に押し当て部材３４に対し弾性的に変位可能に設けられた弾性凸部３４Ｃが設けられている。支持腕３３はＵ字状に形成され、弾性凸部３４Ｃとは逆側の端部で押し当て部材３４と結合しているので、弾性凸部３４Ｃは、Ｕ字状の支持腕３３が弾性変形することでその位置を変えることができる。また、図７（Ｃ）に示すように、剛性凸部３４Ｂは、弾性凸部３４Ｃよりも突出量が小さく形成されている。図８に示すように、これらの剛性凸部３４Ｂと弾性凸部３４Ｃは、ガード本体１８に形成された係合凹部３２に係合可能となっている。
【００３２】
図７（Ｄ）に示すように、押し当て部材３４の前方側（ガード本体１８と反対側）には、開孔３４Ａの周囲に２つの傾斜面３５が形成され、２つの傾斜面３５が突出部３４Ｅで仕切られている。図９に示すように、傾斜面３５に抜止め部材３８の突起部３８Ａが当接しながら回動可能となっている。傾斜面３５の一端側には、押し当て部材３４の肉厚を大きくした厚肉部からなるロック部３５Ａが形成され、傾斜面３５の他端側には、押し当て部材３４の肉厚を小さくした薄肉部からなるロック解除部３５Ｂが形成されている。そして、調整ノブ３６の回転操作により、抜止め部材３８の突起部３８Ａがロック部３５Ａとロック解除部３５Ｂとの間を回動する。突出部３４Ｅは、突起部３８Ａの移動を止めるストッパーとなっている。突出部３４Ｅを設けることで、調整ノブ３６の回転範囲における両端が、ロック部３５Ａとロック解除部３５Ｂに限定されるので、調整ノブ３６を確実に操作することができる。
【００３３】
図８に示すように、係合凹部３２は、略Ｖ字面とされ、上下方向の傾斜面３２Ａ、３２Ｂが略Ｖ字面の谷部を結んだ面に対して異なる角度となっている。ここで、図８（Ｂ）に示すように、ガード本体１８の略Ｖ字面の谷部を結んだ面に対して直交する方向の直線とＶ字面の上方側の傾斜面３２Ａとの角度をθ（Ａ）、ガード本体１８の略Ｖ字面の谷部を結んだ面に対して直交する方向の直線とＶ字面の下方側の傾斜面３２Ｂとの角度をθ（Ｂ）とする。このとき、Ｖ字面の上方側の傾斜面３２Ａ、すなわちガード本体１８を下降させる方向の傾斜面３２Ａと、Ｖ字面の下方側の傾斜面３２Ｂ、すなわちガード本体１８を上昇させる方向の傾斜面３２Ｂは、傾斜面３２Ａの角度θ（Ａ）が傾斜面３２Ｂの角度θ（Ｂ）より小さくなるように形成される。
【００３４】
図４に示すように、ショルダーガード部１４は、子供の背面に沿って両サイドが前方に湾曲しながら突出する翼部１４Ｂを備えており、この翼部１４Ｂの背面側を覆うように椅子本体１２の両サイドが延設されている。図２及び図６に示すように、翼部１４Ｂと対向する椅子本体１２の両端部には、ガード本体１８のスライド方向に長円形状のスライド孔１２Ｂが形成されている（図２及び図６では手前側のみ図示）。このスライド孔１２Ｂには、翼部１４Ｂに突設されたガイドピン１４Ｃが上下方向にスライド可能に係止されている。
【００３５】
また、椅子本体１２のレール部１２Ａの両側部には、ガード本体１８のスライド方向に長円形状のスライド孔１２Ｃが形成されている（図２及び図６では手前側のみ図示）。このスライド孔１２Ｃには、摺動部１４Ａに設けられたガイドピン１４Ｃが上下方向にスライド可能に係止されている。これにより、ガード本体１８は、ガイドピン１４Ｃによって中央部付近のレール部１２Ａの２箇所と両サイドの２箇所の計４箇所でスライド孔１２Ｂ、１２Ｃに案内されながら、上下方向にスライドする。図５及び図６に示すように、ガード本体１８は、ガイドピン１４Ｃがスライド孔１２Ｂ、１２Ｃの上部に移動した最上部の位置と、ガイドピン１４Ｃがスライド孔１２Ｂ、１２Ｃの下部に移動した最下部の位置との間をスライド可能となっている。
【００３６】
図１０に示すように、ショルダーガード部１４の内側には、中央部に装着されるクッション４４Ａと、両サイドの翼部１４Ｂに装着されるクッション４４Ｂが設けられている。これらのクッション４４Ａ、４４Ｂは、内部に発泡性ポリウレタンなどの弾性体が装填された衝撃吸収部材であり、ショルダーガード部１４の内側面に図示しないマジックテープ（登録商標）によって着脱可能に装着される。また、ヘッドガード部１６の内側には、中央部に装着されるクッション４６Ａと、両サイドに装着されるクッション４６Ｂが設けられている。これらのクッション４６Ａ、４６Ｂは、ヘッドガード部１６の内側面に図示しないマジックテープ（登録商標）によって着脱可能に装着される。
【００３７】
また、ヘッドガード部１６の内側幅は、ショルダーガード部１４の内側幅よりも小さく形成されており、子供の頭部と肩部の幅に合致しやすい形状となっている。これによって、ヘッドガード部１６内で頭部が、ショルダーガード部１４内で肩部が動きにくくなり、頭部や肩部を適切に保護することができる。
【００３８】
図１に示すように、子供が椅子本体１２に着座したときに、頭部の頂部がヘッドガード部１６にほぼ納まり、肩部の上部がショルダーガード部１４の上端部よりも下方に納まるようにガード本体１８の高さを調整することで、頭部や肩部を適切に保護することができる。
【００３９】
次に、上記のような構成の高さ調整装置３０の作用について説明する。
【００４０】
図８に示すように、調整ノブ３６の回転操作により回転軸３６Ａを固定方向に回転すると、図９（Ａ）に示すように、抜止め部材３８の突起部３８Ａが押し当て部材３４の傾斜面３５を摺動して厚肉部であるロック部３５Ａに移動する。この状態では、図１１に示すように、調整ノブ３６と押し当て部材３４との距離が縮まり、剛性凸部３４Ｂと弾性凸部３４Ｃが係合凹部３２に係合されると共に、調整ノブ３６と押し当て部材３４との間で椅子本体１２とガード本体１８とが挟持される。これにより、ガード本体１８が椅子本体１２に固定される。
【００４１】
一方、ガード本体１８の高さを調整する際には、調整ノブ３６の回転操作により回転軸３６Ａを開放方向に回転する。すると、図９（Ｂ）に示すように、抜止め部材３８の突起部３８Ａが押し当て部材３４の傾斜面３５を摺動して薄肉部であるロック解除部３５Ｂに移動する。その際、厚肉部であるロック部３５Ａと薄肉部であるロック解除部３５Ｂが傾斜面３５でつながっているので、抜止め部材３８の移動がスムーズになる。
【００４２】
この状態では、図１２に示すように、調整ノブ３６と押し当て部材３４との距離が広がり、剛性凸部３４Ｂと係合凹部３２との係合が完全に外れると共に、弾性凸部３４Ｃが係合凹部３２と係合している。すなわち、弾性凸部３４Ｃと係合凹部３２との係合が外れないので、ガード本体１８が自重でずり落ちることを防止することができる。
【００４３】
また、厚肉部であるロック部３５Ａと薄肉部であるロック解除部３５Ｂとの間に突出部３４Ｅを設けることで、調整ノブ３６の回転範囲における両端が、ロック部３５Ａとロック解除部３５Ｂに限定されるので、調整ノブ３６を確実に操作することができる。
【００４４】
ガード本体１８を椅子本体１２のレール部１２Ａに沿って上下方向にスライドさせると、弾性凸部３４Ｃの弾性変形により係合凹部３２との係合が外れて次の係合凹部３２に係合され、これを繰り返しながらガード本体１８が上下方向にスライドする。その際、係合凹部３２は、ガード本体１８を下降させる方向の傾斜面３２Ａの角度θ（Ａ）が小さく形成されているため、ガード本体１８を下降させるときは係合凹部３２に係合された弾性凸部３４Ｃが抜けにくい。このため、ガード本体１８が自重でずり落ちることをより確実に防止することができる。また、係合凹部３２は、ガード本体１８を上昇させる方向の傾斜面３２Ｂの角度θ（Ｂ）が大きく形成されているため、ガード本体１８を上昇させるときは係合凹部３２に係合された弾性凸部３４Ｃが抜けやすい。このため、ガード本体１８を軽い力で上昇させることができる。
【００４５】
図５及び図６に示すように、ガード本体１８を所望の位置にスライドさせ、調整ノブ３６の回転操作により回転軸３６Ａを固定方向に回転すると、剛性凸部３４Ｂと弾性凸部３４Ｃが係合凹部３２に係合されると共に、調整ノブ３６と押し当て部材３４との間で椅子本体１２とガード本体１８とが挟持され、ガード本体１８が椅子本体１２に固定される。これにより、簡単な操作によってガード本体１８の高さを調整することができる。
【００４６】
その際、図６に示すように、ガード本体１８は、中央部付近のレール部１２Ａの２箇所と両サイドの２箇所の計４箇所で、ガイドピン１４Ｃがスライド孔１２Ｂ、１２Ｃに係止された状態でスライドする。このため、ガード本体１８を椅子本体１２に対してスムーズにスライドさせることができると共に、ガード本体１８のガタツキを抑制できる。さらに、ガード本体１８の係止が不安定になったり、ガード本体１８が傾いて係止されることを防止できる。
【００４７】
このように、ガード本体１８を椅子本体１２に対して上下方向にスライドさせることにより、子供の成長や異なる身長の子供の体格に合わせてショルダーガード部１４とヘッドガード部１６を適切な高さに調整することができる。これにより、子供の体格に合わせて肩部や頭部が適切に保護され、子供の上半身が動きにくくなり、走行時や転倒時に安全性を確保することができる。
【００４８】
なお、上記実施形態では、押し当て部材３４に剛性凸部３４Ｂと弾性凸部３４Ｃが形成され、ショルダーガード部１４に係合凹部３２が形成されていたが、この構成に限定するものではない。例えば、押し当て部材３４に係合凹部を形成し、ショルダーガード部１４に剛性凸部と弾性凸部を形成する構成でもよい。
【００４９】
なお、上記実施形態では、ショルダーガード部１４とヘッドガード部１６とを一体に構成したガード本体１８を椅子本体１２に対して上下方向にスライドさせる高さ調整装置３０が設けられていたが、この構成に限定するものではない。例えば、ショルダーガード部１４のみを椅子本体１２に対してスライドさせる機構、ヘッドガード部１６のみを椅子本体１２に対してスライドさせる機構にも本発明の高さ調整装置３０を適用可能である。また、本発明の移動部材は、ショルダーガード部１４、ヘッドガード部１６に限定するものではなく、固定部材本体も椅子本体１２に限定するものではない。
【図面の簡単な説明】
【００５０】
【図１】本発明の一実施形態である子供用椅子をサドルの後方に取り付けた二輪車の後方部を示す側面図である。
【図２】本発明の一実施形態である子供用椅子の斜視図であって、高さ調整装置を分解した斜視図である。
【図３】本発明の一実施形態である子供用椅子の正面図である。
【図４】図３に示す子供用椅子のＨ−Ｈ線における断面図である。
【図５】本発明の一実施形態である子供用椅子のガード本体を上下方向にスライドさせた状態を示す正面図である。
【図６】本発明の一実施形態である子供用椅子のガード本体を上下方向にスライドさせた状態を示す側面図である。
【図７】図２に示す高さ調整装置の押し当て部材を示す構成図であって、（Ａ）は背面側の斜視図、（Ｂ）は側面図、（Ｃ）は断面図、及び（Ｄ）は前方側の斜視図である。
【図８】図５に示す子供用椅子のＧ−Ｇ線における断面図である。
【図９】図２に示す高さ調整装置の押し当て部材に抜止め部材を取り付けた状態を示す斜視図であって、（Ａ）は突起部をロック部に回動した状態、（Ｂ）は突起部をロック解除部に回動した状態を示す図である。
【図１０】子供用椅子のショルダーガード部とヘッドガード部にクッションを装着した状態を示す斜視図である。
【図１１】調整ノブを固定方向に回転したとき、剛性凸部と弾性凸部が係合凹部に係合し、ガード本体が椅子本体に固定された状態を示す一部拡大断面図である。
【図１２】調整ノブを開放方向に回転したとき、剛性凸部と係合凹部との係合が外れると共に弾性凸部が係合凹部を押圧し、ガード本体が椅子本体に対してスライド可能となった状態を示す一部拡大断面図である。
【符号の説明】
【００５１】
２     二輪車
４     サドル
６     荷台
１０   子供用椅子
１２   椅子本体（固定部材本体）
１２Ａ レール部
１２Ｂ スライド孔
１２Ｃ スライド孔
１２Ｄ 開孔
１４   ショルダーガード部（移動部材）
１４Ａ 摺動部
１４Ｂ 翼部
１４Ｃ ガイドピン
１４Ｄ 長孔
１６   ヘッドガード部（移動部材）
１８   ガード本体（移動部材）
３０   高さ調整装置（高さ調整機構）
３２   係合凹部（凹部）
３２Ａ 傾斜面（Ｖ字面）
３２Ｂ 傾斜面（Ｖ字面）
３４   押し当て部材
３４Ａ 開孔
３４Ｂ 剛性凸部
３４Ｃ 弾性凸部
３４Ｅ 突出部（ストッパー）
３５   傾斜面（斜面）
３５Ａ ロック部
３５Ｂ ロック解除部
３６   調整ノブ
３６Ａ 回転軸
３８   抜止め部材
３８Ａ 突起部
【図１】
0004810301.tif 000002
【図２】
0004810301.tif 000003
【図３】
0004810301.tif 000004
【図４】
0004810301.tif 000005
【図５】
0004810301.tif 000006
【図６】
0004810301.tif 000007
【図７】
0004810301.tif 000008
【図８】
0004810301.tif 000009
【図９】
0004810301.tif 000010
【図１０】
0004810301.tif 000011
【図１１】
0004810301.tif 000012
【図１２】
0004810301.tif 000013